(57)【要約】【課題】回路規模及び装置全体を大型化せず、かつ安価に送信信号に含まれる干渉成分を通信の障害にならないレベルに抑えること。【解決手段】移相出力直交変調部１０２は、ベースバンド信号のＩ成分とベースバンド信号のＱ成分とを直交変調して第１変調信号と第２変調信号生成する。イメージ抑圧型ミキサ１０８は、互いに位相が９０度異なる第１変調信号及び第２変調信号と互いに位相が９０度異なる第１局部発振信号及び第２局部発振信号とを混合して送信信号を中間周波数から無線周波数へ周波数変換する。局発信号検出部１１２は、無線周波数に周波数変換された送信信号に含まれている漏洩した局部発振信号成分のレベルを検出する。オフセット制御部１１３は、検出した漏洩した局部発振信号成分のレベルが抑圧されるようにＤ／Ａ変換する際のオフセット電圧を変化させる。ＢＰＦ１１４は、抑圧された漏洩した局部発振信号成分及びイメージ成分を除去する。【選択図】      図１
2004349789.tif 000002
【特許請求の範囲】
【請求項１】
低周波数信号のＩ成分と低周波数信号のＱ成分とを直交変調して互いに位相が９０度異なる第１変調信号と第２変調信号とを生成する直交変調手段と、
互いに位相が９０度異なる第１局部発振信号及び第２局部発振信号と前記直交変調手段にて生成された前記第１変調信号及び前記第２変調信号とを混合して前記第１変調信号及び前記第２変調信号から高周波数信号へ周波数変換する混合手段と、
前記混合手段により周波数変換された前記高周波数信号に含まれる漏洩局部発振信号成分のレベルを検出する検出手段と、
前記第１変調信号または前記第２変調信号の電圧値を調整することにより、前記高周波数信号に含まれる前記漏洩局部発振信号成分の前記検出手段にて検出した前記レベルを抑圧するオフセット制御手段と、
前記オフセット制御手段によりレベルが抑圧された前記漏洩局部発振信号成分を前記高周波数信号より除去するフィルタ手段と、
を具備することを特徴とする周波数変換装置。
【請求項２】
前記直交変調手段により生成された前記第１変調信号及び前記第２変調信号をディジタル信号からアナログ信号に変換するディジタル／アナログ変換手段を具備し、前記オフセット制御手段は、前記ディジタル／アナログ変換手段にてディジタル／アナログ変換する際の電圧値を変化させることにより前記漏洩局部発振信号成分のレベルを抑圧することを特徴とする請求項１記載の周波数変換装置。
【請求項３】
前記第１変調信号の電圧値または前記第２変調信号の電圧値に対して所定の電圧値を加算または減算する加減算手段を具備し、前記オフセット制御手段は、前記漏洩局部発振信号成分のレベルが抑圧されるように前記加減算手段を制御することを特徴とする請求項１記載の周波数変換装置。
【請求項４】
前記検出手段は、前記第１局部発振信号及び前記第２局部発振信号の周波数と異なる周波数の検出用局部発振信号と前記高周波数信号とを混合することにより、前記漏洩局部発振信号成分を低周波数側に割り当てるとともに、前記漏洩局部発振信号成分以外の非検出信号成分を高周波数側に割り当てるように周波数変換し、フィルタにより前記非検出成分を除去した後に検波することにより前記漏洩局部発振信号成分を検出することを特徴とする請求項１から請求項３のいずれかに記載の周波数変換装置。
【請求項５】
前記第１変調信号及び前記第２変調信号をディジタル／アナログ変換する際のサンプリングクロック信号を分周して分周信号を生成する分周手段と、局部発振信号を生成する局部発振信号生成手段と、前記局部発振信号生成手段にて生成した前記局部発振信号の位相を変化させることにより前記第１局部発振信号及び前記第２局部発振信号を生成する移相手段とを具備し、前記検出手段は、前記局部発振信号生成手段にて生成した前記局部発振信号と前記分周手段にて生成した前記分周信号とを混合することにより前記検出用局部発振信号を生成することを特徴とする請求項４記載の周波数変換装置。
【請求項６】
請求項１から請求項５のいずれかに記載の周波数変換装置を具備することを特徴とする送信装置。
【請求項７】
低周波数信号のＩ成分と低周波数信号のＱ成分とを直交変調して互いに位相が９０度異なる第１変調信号と第２変調信号とを生成するステップと、
互いに位相が９０度異なる第１局部発振信号及び第２局部発振信号と前記第１変調信号及び前記第２変調信号とを混合して前記第１変調信号及び前記第２変調信号から高周波数信号へ周波数変換するステップと、
前記高周波数信号に含まれる漏洩局部発振信号成分のレベルを検出するステップと、
前記第１変調信号または前記第２変調信号の電圧値を調整することにより、前記高周波数信号に含まれる前記漏洩局部発振信号成分の前記レベルを抑圧するステップと、
レベルが抑圧された前記漏洩局部発振信号成分を前記高周波数信号より除去するステップと、
を具備することを特徴とする周波数変換方法。
【発明の詳細な説明】
【０００１】
【発明の属する技術分野】
本発明は、周波数変換装置及び周波数変換方法に関し、例えば送信信号をベースバンド周波数から無線周波数へアップコンバートする周波数変換装置及び周波数変換方法に関する。
【０００２】
【従来の技術】
通信及び放送に用いられる送信装置において、近年ディジタル変調された信号を送信する場合が多くなっている。このような送信装置は、一般にベースバンド信号を搬送波に直交変調して無線周波数へアップコンバートした後に送信している。直交変調には、ベースバンド信号と位相が互いに９０度異なる２つの局部発振信号とを混合及び加算する直交変調器がよく用いられる。
【０００３】
図１２は、従来のディジタル直交変調回路を用いた送信装置１２００を示すブロック図である。
【０００４】
直交変調部１２０１は、入力したディジタル信号であるベースバンド信号のＩ成分とＱ成分をディジタル演算により直交変調を行って中間周波数に周波数変換した後に、ディジタル／アナログ（以下「Ｄ／Ａ」と記載する）変換部１２０２へ出力する。Ｄ／Ａ変換部１２０２は、直交変調部１２０１から入力した直交変調信号をディジタル信号からアナログ信号へＤ／Ａ変換してＬＰＦ（ローパスフィルタ）１２０３へ出力する。ＬＰＦ１２０３は、Ｄ／Ａ変換部１２０２から入力したアナログ信号より不要な成分を除去してミキサへ出力する。局部発振器１２０４は、局部発振信号をミキサ１２０５へ出力する。
【０００５】
ミキサ１２０５は、ＬＰＦ１２０３から入力した直交変調信号と局部発振器１２０４から入力した局部発振信号とを混合して、中間周波数から無線周波数にアップコンバートしてＢＰＦ（バンドパスフィルタ）１２０６へ出力する。ＢＰＦ１２０６は、ミキサ１２０５から入力した信号からミキサ１２０５にて発生した不要なスプリアスを除去して増幅部１２０７へ出力する。増幅部１２０７は、ＢＰＦ１２０６から入力した信号を増幅してアンテナ１２０８より送信する。
【０００６】
また、従来の変調回路において、送信信号にイメージ成分が含まれる場合には、イメージ成分が干渉成分となって受信特性の劣化をもたらすため、イメージリジェクション型の周波数変換器を用いて、ミキサで発生するイメージ成分を抑圧するものが提案されている（例えば、特許文献１参照。）。
【０００７】
【特許文献１】
特開平７−２７３８１７号公報
【０００８】
【発明が解決しようとする課題】
しかしながら、従来の周波数変換装置及び周波数変換方法は、イメージリジェクション型周波数変換手段を用いる場合において、ミキサを用いてベースバンド信号から無線周波数に周波数変換した送信信号に、漏洩した局部発振信号成分を示す直流電圧成分であるＤＣオフセット電圧が含まれる場合があり、漏洩した局部発振信号成分が送信信号の干渉成分になるという問題がある。
【０００９】
送信信号に漏洩した局部発振信号成分が含まれないようにするためには、送信信号から漏洩した局部発振信号成分を除去する必要がある。このような漏洩した局部発振信号はＢＰＦにて除去することができるが、Ｄ／Ａ変換部においてオーバーサンプリングしてアナログ信号に変換する場合、サンプリング周波数の高さには限界があるため、アナログの直交変調信号の周波数帯も高くできない。そのため、図１３に示すように、局部発振信号成分１３０２の周波数ｆ２と希望波１３０３の周波数ｆ３とが近い値になる場合がある。特に、イメージ成分１３０１の周波数ｆ１よりも局部発振信号成分の周波数の方が希望波１３０３の周波数ｆ３に近いため、イメージ成分１３０１の周波数ｆ１よりも漏洩した局部発振信号成分１３０２の周波数ｆ２の方が希望波１３０３の周波数ｆ３に近い値となる確率が高い。図１４は、要求されるＢＰＦ１２０６のフィルタ特性を示した図であり、横軸が周波数であり、縦軸が減衰量である。図１３及び図１４より、イメージ成分１３０１のレベル、漏洩した局部発振信号成分のレベル及び希望波のレベルがｒ１ｄＢとすると、イメージ成分１３０１及び漏洩した局部発振信号成分１３０２の両方を干渉成分にならないレベルｒ２まで除去するためには、ＢＰＦ１２０６は、希望波の周波数ｆ１２と漏洩した局部発振信号成分の周波数ｆ１１との間の周波数において、減衰量（ｒ１−ｒ２）ｄＢの急峻な帯域外抑圧特性を有する必要がある。
【００１０】
例えば、Ｄ／Ａ変換のサンプリング周波数が８０ＭＨｚでオーバーサンプルが４の場合、アナログ変換された信号は２０ＭＨｚとなる。これを１ＧＨｚにアップコンバートする場合、例えば局部発振信号成分の周波数は９８０ＭＨｚで、ミキサで発生するイメージ成分は９６０ＭＨｚとなる。信号帯域幅が４ＭＨｚとした場合、９９８ＭＨｚ〜１００２ＭＨｚが通過帯域であり、局部発振信号成分とイメージ成分との両方を抑圧するためには、９８０ＭＨｚにて信号を抑圧する急峻なＢＰＦが必要となる。これを実現するためには、ＢＰＦが非常に大きくまた高価になってしまい、回路規模及び装置全体も大きくまた高価になるという問題がある。
【００１１】
本発明はかかる点に鑑みてなされたものであり、回路規模及び装置全体を大型化せず、かつ安価に送信信号に含まれる干渉成分を通信の障害にならないレベルに抑えることができる周波数変換装置及び周波数変換方法を提供することを目的とする。
【００１２】
【課題を解決するための手段】
本発明の周波数変換装置は、低周波数信号のＩ成分と低周波数信号のＱ成分とを直交変調して互いに位相が９０度異なる第１変調信号と第２変調信号とを生成する直交変調手段と、互いに位相が９０度異なる第１局部発振信号及び第２局部発振信号と前記直交変調手段にて生成された前記第１変調信号及び前記第２変調信号とを混合して前記第１変調信号及び前記第２変調信号から高周波数信号へ周波数変換する混合手段と、前記混合手段により周波数変換された前記高周波数信号に含まれる漏洩局部発振信号成分のレベルを検出する検出手段と、前記第１変調信号または前記第２変調信号の電圧値を調整することにより、前記高周波数信号に含まれる前記漏洩局部発振信号成分の前記検出手段にて検出した前記レベルを抑圧するオフセット制御手段と、前記オフセット制御手段によりレベルが抑圧された前記漏洩局部発振信号成分を前記高周波数信号より除去するフィルタ手段と、を具備する構成を採る。
【００１３】
この構成によれば、例えばベースバンド信号から無線周波数へ周波数変換する際に漏洩する局部発振信号成分を検出して、漏洩した局部発振信号成分のレベルが抑圧されるようにフィードバックして第１変調信号または第２変調信号の電圧値を調整するとともに、漏洩した局部発振信号成分のレベルを抑圧した後に漏洩した局部発振信号成分を除去するので、急峻な減衰特性を有するフィルタが不要になって回路規模及び装置全体を小さくすることができるとともに、安価に送信信号に含まれる干渉成分を通信の障害にならないレベルに抑えることができる。
【００１４】
本発明の周波数変換装置は、前記構成において、前記直交変調手段により生成された前記第１変調信号及び前記第２変調信号をディジタル信号からアナログ信号に変換するディジタル／アナログ変換手段を具備し、前記オフセット制御手段は、前記ディジタル／アナログ変換手段にてディジタル／アナログ変換する際の電圧値を変化させることにより前記漏洩局部発振信号成分のレベルを抑圧する構成を採る。
【００１５】
この構成によれば、前記効果に加えて、ディジタル／アナログ変換と同時に局部発振信号成分のレベルを抑圧するための電圧調整も行うので、局部発振信号成分のレベルを抑圧するための特別の回路を設ける必要がなくて、さらに回路規模及び装置全体を小型化することができる。
【００１６】
本発明の周波数変換装置は、前記構成において、前記第１変調信号の電圧値または前記第２変調信号の電圧値に対して所定の電圧値を加算または減算する加減算手段を具備し、前記オフセット制御手段は、前記漏洩局部発振信号成分のレベルが抑圧されるように前記加減算手段を制御する構成を採る。
【００１７】
この構成によれば、前記効果に加えて、第１変調信号または第２変調信号の電圧値に対して電圧値を加算または減算することにより局部発振信号成分のレベルを抑圧するので、簡単な回路により局部発振信号成分のレベルを抑圧することができて回路の製造が容易であるとともに、局部発振信号の除去に伴って周波数変換の処理時間が長くなることを防止することができる。
【００１８】
本発明の周波数変換装置は、前記構成において、前記検出手段は、前記第１局部発振信号及び前記第２局部発振信号の周波数と異なる周波数の検出用局部発振信号と前記高周波数信号とを混合することにより、前記漏洩局部発振信号成分を低周波数側に割り当てるとともに、前記漏洩局部発振信号成分以外の非検出信号成分を高周波数側に割り当てるように周波数変換し、フィルタにより前記非検出成分を除去した後に検波することにより前記漏洩局部発振信号成分を検出する構成を採る。
【００１９】
この構成によれば、前記効果に加えて、漏洩した局部発振信号成分を低周波数側に周波数変換してからフィルタにより検出するので、フィルタの比帯域が小さくなることを防ぐことができて容易に局部発振信号成分を検出することができる。
【００２０】
本発明の周波数変換装置は、前記構成において、前記第１変調信号及び前記第２変調信号をディジタル／アナログ変換する際のサンプリングクロック信号を分周して分周信号を生成する分周手段と、局部発振信号を生成する局部発振信号生成手段と、前記局部発振信号生成手段にて生成した前記局部発振信号の位相を変化させることにより前記第１局部発振信号及び前記第２局部発振信号を生成する移相手段とを具備し、前記検出手段は、前記局部発振信号生成手段にて生成した前記局部発振信号と前記分周手段にて生成した前記分周信号とを混合することにより前記検出用局部発振信号を生成する構成を採る。
【００２１】
この構成によれば、前記効果に加えて、低周波数信号から高周波数信号への周波数変換の際に用いる局部発振信号と漏洩した局部発振信号成分を検出するために用いる局部発振信号とを同一の局部発振信号生成手段により生成することができるので、回路規模を小型化することができるとともに、局部発振信号を生成する際に発生するノイズ成分を極力少なくすることができる。
【００２２】
本発明の送信装置は、上記のいずれかに記載の周波数変換装置を具備する構成を採る。
【００２３】
この構成によれば、例えばベースバンド信号から無線周波数へ周波数変換する際に漏洩する局部発振信号成分を検出して、漏洩した局部発振信号成分のレベルが抑圧されるようにフィードバックして第１変調信号または第２変調信号の電圧値を調整するとともに、漏洩した局部発振信号成分のレベルを抑圧した後に漏洩した局部発振信号成分を除去するので、急峻な減衰特性を有するフィルタが不要になって回路規模及び送信機全体を小さくすることができるとともに、安価に送信信号に含まれる干渉成分を通信の障害にならないレベルに抑えることができ、受信機にて誤りのないデータを受信することができる。
【００２４】
本発明の周波数変換方法は、低周波数信号のＩ成分と低周波数信号のＱ成分とを直交変調して互いに位相が９０度異なる第１変調信号と第２変調信号とを生成するステップと、互いに位相が９０度異なる第１局部発振信号及び第２局部発振信号と前記第１変調信号及び前記第２変調信号とを混合して前記第１変調信号及び前記第２変調信号から高周波数信号へ周波数変換するステップと、前記高周波数信号に含まれる漏洩局部発振信号成分のレベルを検出するステップと、前記第１変調信号または前記第２変調信号の電圧値を調整することにより、前記高周波数信号に含まれる前記漏洩局部発振信号成分の前記レベルを抑圧するステップと、レベルが抑圧された前記漏洩局部発振信号成分を前記高周波数信号より除去するステップと、を具備するようにした。
【００２５】
この方法によれば、例えばベースバンド信号から無線周波数へ周波数変換する際に漏洩する局部発振信号成分を検出して、漏洩した局部発振信号成分のレベルが抑圧されるようにフィードバックして第１変調信号または第２変調信号の電圧値を調整するとともに、漏洩した局部発振信号成分のレベルを抑圧した後に漏洩した局部発振信号成分を除去するので、急峻な減衰特性を有するフィルタが不要になって回路規模及び装置全体を小さくすることができるとともに、安価に送信信号に含まれる干渉成分を通信の障害にならないレベルに抑えることができる。
【００２６】
【発明の実施の形態】
本発明の骨子は、ベースバンド信号を直交変調して生成した互いに位相が９０度異なる中間周波数の第１変調信号及び第２変調信号と、互いに位相が９０度異なる第１局部発振信号及び第２局部発振信号とを混合して中間周波数から無線周波数にアップコンバートして送信信号を生成し、生成した送信信号に含まれる漏洩した局部発振信号成分のレベルを検出し、漏洩した局部発振信号成分のレベルが抑圧されるように第１変調信号及び第２変調信号のＤＣオフセット電圧値を調整した後に、ＢＰＦを用いて送信信号からレベルが抑圧された局部発振信号成分を除去することである。
【００２７】
以下、本発明の実施の形態について、図面を参照して詳細に説明する。
【００２８】
（実施の形態１）
図１は、本実施の形態１に係る送受信装置１００を示す図である。移相出力直交変調部１０２、利得可変部１０３ａ、利得可変部１０３ｂ、Ｄ／Ａ変換部１０４ａ、Ｄ／Ａ変換部１０４ｂ、ＬＰＦ（ローパスフィルタ）１０５ａ、ＬＰＦ１０５ｂ、局部発振部１０６、移相器１０７、イメージ抑圧型ミキサ１０８、分配器１０９、イメージ成分検出部１１０、イメージ制御部１１１、局発信号検出部１１２、オフセット制御部１１３及びＢＰＦ１１４は、周波数変換装置１０１を構成している。
【００２９】
直交変調手段である移相出力直交変調部１０２は、入力したベースバンド信号（低周波数信号）のＩ成分とベースバンド信号のＱ成分とを直交変調演算し、互いに位相が９０度異なる第１変調信号と第２変調信号とを生成する。そして、移相出力直交変調部１０２は、第１変調信号を利得可変部１０３ａへ出力し、第２変調信号を利得可変部１０３ｂへ出力する。移相出力直交変調部１０２から出力される第１変調信号及び第２変調信号は、ベースバンド周波数から中間周波数へ周波数変換される。
【００３０】
利得可変部１０３ａは、移相出力直交変調部１０２から入力した第１変調信号の利得を、後述するイメージ制御部１１１の制御に基づいて変化させてＤ／Ａ変換部１０４ａへ出力する。
【００３１】
利得可変部１０３ｂは、移相出力直交変調部１０２から入力した第２変調信号の利得を、後述するイメージ制御部１１１の制御に基づいて変化させてＤ／Ａ変換部１０４ｂへ出力する。
【００３２】
Ｄ／Ａ変換部１０４ａは、利得可変部１０３ａから入力した第１変調信号をディジタルからアナログに変換してＬＰＦ１０５ａへ出力する。また、Ｄ／Ａ変換部１０４ａは、オフセット制御部１１３からの制御により電子式可変抵抗の抵抗値を変化させてＤ／Ａ変換を行う。なお、抵抗値を変化させる方法は、電子式可変抵抗を用いて変化させる場合に限らず、その他の任意の可変抵抗を用いて変化させることが可能である。
【００３３】
Ｄ／Ａ変換部１０４ｂは、利得可変部１０３ｂから入力した第２変調信号をディジタルからアナログに変換してＬＰＦ１０５ｂへ出力する。また、Ｄ／Ａ変換部１０４ｂは、オフセット制御部１１３からの制御により電子式可変抵抗の抵抗値を変化させてＤ／Ａ変換を行う。なお、抵抗値を変化させる方法は、電子式可変抵抗を用いて変化させる場合に限らず、その他の任意の可変抵抗を用いて変化させることが可能である。
【００３４】
ＬＰＦ１０５ａは、Ｄ／Ａ変換部１０４ａから入力した第１変調信号に含まれている不要成分であるサンプリング周波数成分及び折り返し成分等を除去してイメージ抑圧型ミキサ１０８へ出力する。
【００３５】
ＬＰＦ１０５ｂは、Ｄ／Ａ変換部１０４ｂから入力した第２変調信号に含まれている不要成分であるサンプリング周波数成分及び折り返し成分等を除去してイメージ抑圧型ミキサ１０８へ出力する。
【００３６】
局部発振信号生成手段である局部発振部１０６は、例えば位相負帰還制御系（ＰＬＬ）で制御される電圧制御発振器（ＶＣＯ）を用いた周波数シンセサイザ等の発振回路であり、生成した局部発振信号を移相器１０７と後述する受信ミキサ１２０へ出力する。
【００３７】
移相手段である移相器１０７は、例えば分布定数回路を用いて、局部発振部１０６から入力した局部発振信号の位相を変化させることにより、互いに位相が９０度異なる第１局部発振信号と第２局部発振信号を生成してイメージ抑圧型ミキサ１０８へ出力する。
【００３８】
混合手段であるイメージ抑圧型ミキサ１０８は、例えばアナログ信号処理のミキサ回路であり、ＬＰＦ１０５ａ及びＬＰＦ１０５ｂから入力した位相が互いに９０度異なる第１変調信号及び第２変調信号と移相器１０７から入力した第１局部発振信号及び第２局部発振信号とを混合して加算または減算することにより、希望信号を周波数変換するとともに不要成分であるイメージ成分のレベルを抑圧する。
【００３９】
また、イメージ抑圧型ミキサ１０８は、周波数変換する際にＤＣオフセット電圧を生じるため、あらかじめＤＣオフセット電圧の影響を受けないように入力が差動回路になっている。差動回路を用いることにより入力の差分だけが有効になるので、イメージ抑圧型ミキサ１０８に入力する第１変調信号と第２変調信号に同じレベルのＤＣオフセット電圧成分が含まれる場合は、イメージ抑圧型ミキサ１０８の出力にＤＣオフセット電圧の影響による漏洩した局部発振信号成分が含まれることはない。
【００４０】
しかし、実際にはイメージ抑圧型ミキサ１０８の作成時の製作のバラツキ及び温度等の環境変化により、ＤＣオフセット電圧の偏差が生じ、この偏差に起因してイメージ抑圧型ミキサ１０８の出力には漏洩した局部発振信号成分が含まれる。そして、イメージ抑圧型ミキサ１０８は、漏洩した局部発振信号成分を含む高周波数の送信信号を分配器１０９へ出力する。イメージ抑圧型ミキサ１０８から出力される高周波数の送信信号は、中間周波数から無線周波数へ周波数変換される。
【００４１】
分配器１０９は、イメージ抑圧型ミキサ１０８から入力した高周波数の送信信号をＢＰＦ１１４、イメージ成分検出部１１０及び局発信号検出部１１２へ分配する。
【００４２】
イメージ成分検出部１１０は、分配器１０９から入力した高周波数の送信信号よりイメージ成分を検出してイメージ制御部１１１へ出力する。
【００４３】
イメージ制御部１１１は、イメージ成分検出部１１０から入力したイメージ成分のレベルが抑圧されるように利得可変部１０３ａにて第１変調信号の利得を調整するとともに、利得可変部１０３ｂにて第２変調信号の利得を調整する。
【００４４】
検出手段である局発信号検出部１１２は、分配器１０９から入力した高周波数の送信信号より漏洩した局部発振信号成分を検出してオフセット制御部１１３へ出力する。局発信号検出部１１２にて検出する漏洩した局部発振信号成分の電圧値は、ＤＣオフセット電圧の偏差によって変化する。漏洩した局部発振信号成分が大きい場合には検出される電圧値は大きくなり、漏洩した局部発振信号成分が小さい場合には検出される電圧値は小さくなる。なお、局発信号検出部１１２の詳細については、後述する。
【００４５】
オフセット制御部１１３は、例えばＣＰＵ、ＤＳＰ及びＡＳＩＣ等の演算部とアナログ／ディジタル（以下「Ａ／Ｄ」と記載する）変換器等で構成され、局発信号検出部１１２から入力した局部発振信号成分の検出レベルに応じて、周波数変換信号に含まれる漏洩した局部発振信号成分のレベルが小さくなるように、Ｄ／Ａ変換部１０４ａから出力される第１変調信号及びＤ／Ａ変換部１０４ｂから出力される第２変調信号のオフセット電圧値を制御する。
【００４６】
フィルタ手段であるＢＰＦ１１４は、分配器１０９から入力した高周波数の送信信号に含まれる漏洩した局部発振信号成分及びイメージ成分等の不要スプリアスを除去して増幅部１１５へ出力する。
【００４７】
増幅部１１５は、ＢＰＦ１１４より入力した周波数変換信号を所望の出力レベルにまで増幅して送信信号として共用器１１６へ出力する。
【００４８】
共用器１１６は、増幅部１１５から入力した送信信号をアンテナ１１７より送信する。また、共用器１１６は、アンテナ１１７にて受信した受信信号を低雑音増幅部１１８へ出力する。
【００４９】
低雑音増幅部１１８は、共用器１１６から入力した受信信号を増幅して受信ＢＰＦ１１９へ出力する。
【００５０】
受信ＢＰＦ１１９は、低雑音増幅部１１８より入力した受信信号に含まれる雑音成分等を抑圧して受信ミキサ１２０へ出力する。
【００５１】
受信ミキサ１２０は、受信ＢＰＦ１１９から入力した受信信号と局部発振部１０６から入力した局部発振信号とを混合して周波数変換してＡ／Ｄ変換部１２１へ出力する。受信ミキサ１２０から出力される周波数変換信号は、無線周波数から中間周波数へ周波数変換される。
【００５２】
Ａ／Ｄ変換部１２１は、受信ミキサ１２０から入力した周波数変換信号をアナログからディジタルに変換して直交復調部１２２へ出力する。
【００５３】
直交復調部１２２は、Ａ／Ｄ変換部１２１から入力した周波数変換信号を直交復調してベースバンド信号のＩ成分とベースバンド信号のＱ成分とを生成する。
【００５４】
次に、局発信号検出部１１２の詳細について、図２を用いて説明する。図２は、局発信号検出部１１２の構成を示す図である。
【００５５】
検出用局部発振部２０１は、例えば位相負帰還制御系（ＰＬＬ）で制御される電圧制御発振器（ＶＣＯ）を用いた周波数シンセサイザ等の発振回路であり、局発信号検出用の局部発振信号（検出用局部発振信号）をミキサ２０２へ出力する。検出用局部発振部２０１から出力される局部発振信号の周波数は、局部発振部１０６から出力される局部発振信号の周波数と異なる周波数である。
【００５６】
ミキサ２０２は、検出用局部発振部２０１より入力した局部発振信号と分配器１０９から入力した高周波数の送信信号とを混合し、送信信号に含まれる漏洩した局部発振信号成分の周波数をＤＣ近傍の低域周波数に周波数変換するとともに、イメージ成分（非検出信号成分）を局部発振信号成分よりも高周波側へ周波数変換する。そして、ミキサ２０２は、周波数変換した送信信号をフィルタ２０３へ出力する。
【００５７】
フィルタ２０３は、ミキサ２０２から入力した送信信号に含まれる漏洩した局部発振信号成分の周波数よりも高周波側のイメージ成分等を除去して検波器２０４へ出力する。
【００５８】
検波器２０４は、フィルタ２０３から入力した送信信号に含まれる漏洩した局部発振信号成分を検波してオフセット制御部１１３へ出力する。なお、イメージ成分検出部１１０もイメージ成分を検出する以外は局発信号検出部１１２と同一構成であるので、その説明は省略する。
【００５９】
因みに、ミキサ２０２は、漏洩した局部発振信号成分と局部発振部１０６から出力される局部発振信号とを混合すると直接直流電圧に変換してしまうことになる。この時、入力信号の位相によって電圧値が変動するため、局発信号検出部１１２は、直流電圧では正確に漏洩レベルを検出することができない。そのため、ミキサ２０２に入力する局部発信信号の周波数を局部発振部１０６から出力される局部発振信号の周波数に対して少しずらすことで、漏洩した局部発振信号を検波しやすい低い周波数に変換することができる。即ち、検出用局部発振部２０１からミキサ２０２に入力する局部発振信号の周波数をｆｌｏ＋ｆａ（ｆｌｏは局部発振部１０６から出力される局部発振信号の周波数）とすると、分配器１０９からミキサ２０２に入力する漏洩した局部発振信号成分は、周波数変換されて周波数がｆａになる。検出用局部発振部２０１からミキサ２０２へ入力する局部発振信号の周波数を局部発振部１０６から出力される局部発振信号の周波数と同じ周波数にする場合には、ｆａがかなり高い周波数になってしまうために漏洩した局部発振信号成分の周波数が高くなるとともに、希望信号及びイメージ成分は低い周波数に変換されてしまうため、漏洩した局部発振信号成分のみを検波することが困難になる。
【００６０】
次に、周波数変換装置１０１の動作について、図３から図６までを用いて説明する。図３は、Ｄ／Ａ変換部１０４ａ、１０４ｂより出力された第１変調信号及び第２変調信号を示したものである。なお、図３において、横軸は周波数であり、縦軸はレベルを示している。
【００６１】
最初に、移相出力直交変調部１０２にて直交変調されたベースバンド信号のＩ成分とベースバンド信号のＱ成分とは、第１変調信号と第２変調信号としてＤ／Ａ変換部１０４ａ、１０４ｂへ出力される。
【００６２】
次に、Ｄ／Ａ変換部１０４ａ、１０４ｂは、第１変調信号及び第２変調信号をＤ／Ａ変換する。図３に示すように、Ｄ／Ａ変換部１０４ａから出力される信号には、サンプリングクロックの影響によりＤ／Ａ変換の際に発生する不要成分であるサンプリング周波数成分３０１及び周波数軸上においてサンプリング周波数成分に対して対称の位置に発生する不要成分である折り返し成分３０２、３０３が含まれている。そして、データとして送信する希望波３０４は、サンプリング周波数成分３０１及び折り返し成分３０２、３０３よりも低周波数の領域に存在する。なお、Ｄ／Ａ変換部１０４ｂにおいても同様であるため、その説明は省略する。
【００６３】
図３に示すようなＤ／Ａ変換部１０４ａ、１０４ｂの出力信号をＬＰＦ１０５ａ、１０５ｂにてフィルタリングすることにより、第１変調信号及び第２変調信号は、希望波３０４以外のサンプリング周波数成分３０１及び折り返し成分３０２、３０３が除去された状態にてイメージ抑圧型ミキサ１０８に入力する。
【００６４】
次に、イメージ抑圧型ミキサ１０８に入力した第１変調信号と第２変調信号は、互いに位相が９０度異なるアナログ信号であるため、第１変調信号はａ（ｔ）ｃｏｓω１ｔで表され、第２変調信号はａ（ｔ）ｓｉｎω１ｔで表される。
【００６５】
局部発振信号の周波数をωｃ／２πとすると、イメージ抑圧型ミキサ１０８は、下記の式（１）、式（２）及び式（３）の演算を行う。
【００６６】
Ｓ（ｔ）＝ａ（ｔ）・ｃｏｓω１ｔ・ｃｏｓωｃｔ＋ａ（ｔ）・ｓｉｎω１ｔ・ｓｉｎ（−ωｃｔ）・・・（１）
Ｓ（ｔ）＝（ａ（ｔ）／２）（ｃｏｓ（ω１＋ωｃ）ｔ＋ｃｏｓ（ω１−ωｃ）ｔ）＋（ａ（ｔ）／２）（ｃｏｓ（ω１＋ωｃ）ｔ−ｃｏｓ（ω１−ωｃ）ｔ）・・・（２）
Ｓ（ｔ）＝ａ（ｔ）ｃｏｓ（ω１＋ωｃ）ｔ・・・（３）
このように、イメージ抑圧型ミキサ１０８は、２次の項の周波数成分（ω１＋ωｃ）／２及び（ω１−ωｃ）／２のうち、イメージ成分である（ω１−ωｃ）／２はキャンセルすることができる。
【００６７】
次に、イメージ成分検出部１１０は、イメージ抑圧型ミキサ１０８から出力された高周波数の送信信号に含まれるイメージ成分を検出する、図４は、イメージ成分検出部１１０においてイメージ成分を検出する方法を示したものであり、図４（ａ）は、ミキサ２０２から出力される周波数変換信号を示したものであり、図４（ｂ）は、フィルタ２０３から出力される周波数変換信号を示したものである。なお、図４において、横軸は周波数であり、縦軸はレベルを示している。
【００６８】
イメージ成分検出部１１０は、分配器１０９から入力した高周波数の送信信号と検出用局部発振信号とを混合して、イメージ成分４０１をＤＣ近傍の低域周波数に周波数変換するとともに、漏洩した局部発振信号成分４０２及び希望波４０３等のイメージ成分４０１以外の成分を高周波数側に周波数変換して図４（ａ）に示す状態にする。そして、イメージ成分検出部１１０は、低域周波数のイメージ成分４０１以外の成分をフィルタリングして抑圧して図４（ｂ）に示す状態にする。続いて、イメージ成分検出部１１０は、イメージ成分４０１を検波してイメージ制御部１１１へ出力する。
【００６９】
このようにしてイメージ成分が抑圧されたイメージ抑圧型ミキサ１０８の出力信号は、上記（３）式に示す理想状態になることが望ましい。しかし、実際には、イメージ抑圧型ミキサ１０８の出力信号には漏洩した局部発振信号成分が含まれる。これは、イメージ抑圧型ミキサ１０８に入力する第１変調信号と第２変調信号に含まれるオフセット電圧に差が生じること、またはイメージ抑圧型ミキサ１０８に入力する局部発振信号が空間的結合若しくは不完全なアースによって出力側に飛び込むことにより生じるものである。特に、イメージ抑圧型ミキサ１０８に入力する局部発振信号が出力側に飛び込むことが原因で生じる局部発振信号成分の漏洩は、入力信号との相関が得られず予測が不可能であるため、イメージ抑圧型ミキサ１０８の出力に局部発振信号成分が漏洩しないようにすることは困難である。したがって、イメージ抑圧型ミキサ１０８の出力信号は、理想状態の上記（３）式にはならずに、下記の（４）式のようになる。
【００７０】
Ｓ（ｔ）＝ａ（ｔ）ｃｏｓ（ω１＋ωｃ）ｔ＋Ｖａ×ｃｏｓ（ωｃｔ＋φ）・・・（４）
ただし、φは位相のオフセット。
【００７１】
次に、局発信号検出部１１２は、漏洩した局部発振信号成分を検出する。図５は、局発信号検出部１１２において漏洩した局部発振信号成分を検出する方法を示したものであり、図５（ａ）は、ミキサ２０２に入力する周波数変換信号を示したものであり、図５（ｂ）は、ミキサ２０２から出力される周波数変換信号を示したものであり、図５（ｃ）は、フィルタ２０３から出力される周波数変換信号を示すものである。なお、図５において、横軸は周波数であり、縦軸はレベルを示している。
【００７２】
局発信号検出部１１２は、分配器１０９から入力した図５（ａ）に示すような漏洩した局部発振信号成分５０１を含む希望信号５０２と検出用局部発振信号とを混合して、漏洩した局部発振信号成分５０１をＤＣ近傍の低周波数側に周波数変換するとともに、イメージ成分５０３及び希望波５０２等の局部発振信号成分５０１以外の成分を高周波数側に周波数変換して図５（ｂ）に示す状態にする。そして、局発信号検出部１１２は、低周波数側の局部発振信号成分５０１以外の成分をフィルタリングして除去して図５（ｃ）に示す状態にする。続いて、局発信号検出部１１２は、漏洩した局部発振信号成分５０１を検波してオフセット制御部１１３へ出力する。
【００７３】
局発信号検出部１１２は、局部発振信号成分５０１をＤＣ近傍の低域周波数側に周波数変換した後にフィルタを用いて検出することにより、フィルタの比帯域が小さくならないのでフィルタの製作が容易であり、容易に局部発振信号成分５０１のみを検出することができる。
【００７４】
次に、オフセット制御部１１３は、局発信号検出部１１２にて検出した漏洩した局部発振信号成分のレベルを抑圧するように、Ｄ／Ａ変換部１０４ａ、１０４ｂにて信号をＤ／Ａ変換する際に直流電圧を加える。
【００７５】
第１変調信号または第２変調信号に直流電圧を与えた場合のイメージ抑圧型ミキサ１０８の出力信号は、上記（４）式より、下記の（５）式で近似することができる。
【００７６】
Ｓ（ｔ）＝ａ（ｔ）ｃｏｓ（ω１＋ωｃ）ｔ＋Ｖａ×ｃｏｓ（ωｃｔ＋φ）＋Ｖｂ×ｃｏｓ（ωｃｔ）・・・（５）
したがって、オフセット制御部１１３は、イメージ抑圧型ミキサ１０８の出力を上記（５）式から理想状態の上記（１）式に近づけるために、Ｖａ×ｃｏｓ（ωｃｔ＋φ）＋Ｖｂ×ｃｏｓ（ωｃｔ）が極小となるように加える直流電圧を変化させる。例えば、オフセット制御部１１３は、φ＝０の場合にはＶｂ＝−Ｖａとなるようなオフセット電圧Ｖｂを設定すればＶａ×ｃｏｓ（ωｃｔ＋φ）＋Ｖｂ×ｃｏｓ（ωｃｔ）は０となり極小になる。
【００７７】
図６は、イメージ抑圧型ミキサ１０８より出力されたイメージ成分６０１、漏洩した局部発振信号成分６０２及び希望波６０３を含む高周波数の送信信号を示したものであり、イメージ抑圧型ミキサ１０８にてイメージ成分６０１のレベルが抑圧された状態及びオフセット制御部１１３にて漏洩した局部発振信号成分６０２のレベルが抑圧された状態を示したものである。また、図７は、イメージ成分７０１、漏洩した局部発振信号成分７０２及び希望波６０３を含む高周波数の送信信号から、ＢＰＦ１１４にてイメージ成分７０１と漏洩した局部発振信号成分７０２がほぼ除去された状態を示した図である。また、図８は、要求されるＢＰＦ１１４のフィルタ特性を示した図である。図６〜図８において、イメージ成分の周波数はｆ１であり、漏洩した局部発振信号成分の周波数はｆ２であり、希望波の周波数はｆ３であるものとし、各々の周波数ｆ１、ｆ２、ｆ３は図１４の周波数ｆ１、ｆ２、ｆ３と各々同一であるものとする。なお、図６及び図７において、横軸は周波数であり、縦軸はレベルを示しており、図８において、横軸は周波数であり、縦軸は減衰量を示している。
【００７８】
図６に示すように、イメージ制御部１１１にてレベルを抑圧されてイメージ抑圧型ミキサ１０８から出力されたイメージ成分は、レベルｒ１からレベルｒ１０（ｒ１＞ｒ１０）までレベルが抑圧される。また、オフセット制御部１１３にてレベルを抑圧されてイメージ抑圧型ミキサ１０８から出力された漏洩した局部発振信号成分は、レベルｒ１からレベルｒ１１（ｒ１＞ｒ１１）までレベルが抑圧される。したがって、図６及び図７に示すように、ＢＰＦ１１４は、イメージ成分のレベル及び漏洩した局部発振信号成分のレベルを干渉成分とならないレベルｒ２（ｒ１＞ｒ２、ｒ１０＞ｒ２及びｒ１１＞ｒ２）まで除去するためには、イメージ成分の場合は（ｒ１０−ｒ２）ｄＢ除去する必要があり、漏洩した局部発振信号成分の場合は（ｒ１１−ｒ２）ｄＢ除去する必要がある。
【００７９】
次に、ＢＰＦ１１４は、レベルが抑圧されたイメージ成分及び漏洩した局部発振信号成分を高周波数の送信信号から除去する。この時、図８に示すように、漏洩した局部発振信号成分を除去するために必要なＢＰＦの減衰量は（ｒ１１−ｒ２）ｄＢになり、イメージ成分を除去するために必要なＢＰＦの減衰量は（ｒ１０−ｒ２）ｄＢになる。したがって、漏洩した局部発振信号成分を干渉成分にならないレベルまで除去するためには、ＢＰＦ１１４は、周波数ｆ３と周波数ｆ２との周波数の間において、（ｒ１１−ｒ１２）ｄＢの減衰量を有する必要がある。図８と従来のＢＰＦに要求されていた減衰量を示す図１４とにおける基準値Ｒからの減衰量を比較すると明らかなように、漏洩した局部発振信号成分のレベルを抑圧した場合には急峻な減衰特性のＢＰＦを用いる必要はない。
【００８０】
このように、本実施の形態１によれば、オフセット制御部は、局発信号検出部にて検出した高周波数の送信信号に含まれる局部発信信号成分を抑圧するように制御するので、急峻な減衰特性を備えたＢＰＦが不要になって回路規模及び装置が大型化することがなくかつ安価にすることができるとともに、送信信号に含まれる干渉成分を通信の障害にならないレベルに抑えることができる。
【００８１】
（実施の形態２）
図９は、本実施の形態２に係る送受信装置９００の構成を示す図である。送受信装置９００は、図１に示す本実施の形態１に係る送受信装置１００において、加減算部９０２を追加するものである。なお、図１と同一構成である部分には同一の符号を付してその説明は省略する。
【００８２】
移相出力直交変調部１０２、利得可変部１０３ａ、利得可変部１０３ｂ、Ｄ／Ａ変換部１０４ａ、Ｄ／Ａ変換部１０４ｂ、ＬＰＦ（ローパスフィルタ）１０５ａ、ＬＰＦ１０５ｂ、局部発振部１０６、移相器１０７、イメージ抑圧型ミキサ１０８、分配器１０９、イメージ成分検出部１１０、イメージ制御部１１１、局発信号検出部１１２、オフセット制御部１１３、ＢＰＦ１１４及び加減算部９０２は、周波数変換装置９０１を構成している。
【００８３】
加減算部９０２は、例えばディジタル信号処理回路であり、移相出力直交変調部１０２から出力された第２変調信号に対して、オフセット制御部１１３の制御に基づいて固定値を加算または減算してＤ／Ａ変換部１０４ｂへ出力する。即ち、イメージ抑圧型ミキサ１０８に入力する第１変調信号に含まれるＤＣオフセット電圧と第２変調信号に含まれるＤＣオフセット電圧が異なる場合またはイメージ抑圧型ミキサ１０８の内部でＤＣオフセット電圧のばらつきがある場合には、ＤＣオフセット電圧の偏差によりイメージ抑圧型ミキサ１０８から出力される高周波数の送信信号にＤＣオフセット電圧の成分が含まれる。したがって、加減算部９０２は、上記（５）式より、Ｖａ×ｃｏｓ（ωｃｔ＋φ）＋Ｖｂ×ｃｏｓ（ωｃｔ）が極小になるように、オフセット制御部１１３の制御によりＤＣオフセット電圧Ｖｂを加減算する。
【００８４】
このように、本実施の形態２によれば、上記実施の形態１の効果に加えて、オフセット電圧値を加減算するだけで漏洩した局部発振信号成分を抑圧することができるので、簡単な方法及び簡単回路構成にて漏洩した局部発振信号成分を抑圧することができるので、回路規模が小さくなって装置全体を小型化することができるとともに、装置を安価に製造することができる。
【００８５】
なお、本実施の形態２は、上記実施の形態１に適用することが可能である。
【００８６】
（実施の形態３）
図１０は、本実施の形態３に係る送受信装置１０００の構成を示す図である。なお、図１０において、図１と同一構成である部分には同一の符号を付して、その説明は省略する。
【００８７】
移相出力直交変調部１０２、利得可変部１０３ａ、利得可変部１０３ｂ、Ｄ／Ａ変換部１０４ａ、Ｄ／Ａ変換部１０４ｂ、ＬＰＦ（ローパスフィルタ）１０５ａ、ＬＰＦ１０５ｂ、局部発振部１０６、移相器１０７、イメージ抑圧型ミキサ１０８、分配器１０９、イメージ成分検出部１００２、イメージ制御部１１１、局発信号検出部１００３、オフセット制御部１１３及びＢＰＦ１１４は、周波数変換装置１００１を構成している。
【００８８】
局部発振部１０６は、例えば位相負帰還制御系（ＰＬＬ）で制御される電圧制御発振器（ＶＣＯ）を用いた周波数シンセサイザ等の発振回路であり、生成した局部発振信号を移相器１０７、受信ミキサ１２０、イメージ成分検出部１００２及び局発信号検出部１００３へ出力する。
【００８９】
イメージ成分検出部１００２は、局部発振部１０６から入力した局部発振信号を用いて、分配器１０９から入力した高周波数の送信信号よりイメージ成分を検出してイメージ制御部１１１へ出力する。
【００９０】
局発信号検出部１００３は、局部発振部１０６から入力した局部発振信号を用いて、分配器１０９から入力した高周波数の送信信号より漏洩した局部発振信号成分を検出してオフセット制御部１１３へ出力する。なお、局発信号検出部１００３の詳細は、後述する。
【００９１】
図１１は、局発信号検出部１００３の構成を示したものである。
【００９２】
局発信号検出部１００３は、図２に示す本実施の形態１に係る局発信号検出部１１２において、分周器１１０１及び第２ミキサ１１０２を追加し、且つ、局部発振部２０１を削除している。なお、図２と同一構成である部分には同一の符号を付してその説明は省略する。
【００９３】
分周器１１０１は、Ｄ／Ａ変換部１０４ａ、１０４ｂにてＤ／Ａ変換する際に用いるサンプリングクロック信号を分周して分周信号を生成して第２ミキサ１１０２へ出力する。
【００９４】
第２ミキサ１１０２は、局部発振部１０６から入力した局部発振信号と分周器１１０１から入力した分周した信号とを混合して周波数変換して局部発振信号成分検出用の局部発振信号をミキサ２０２へ出力する。サンプリングクロック信号を分周して局部発振部１０６から入力した局部発振信号と混合することにより、局部発振部１０６から出力される局部発振信号の周波数よりも少しずれた周波数にすることができるため、漏洩した局部発振信号成分のみを低い周波数に周波数変換することができる。なお、イメージ成分検出部１００２の構成は、漏洩した局部発振信号成分の代わりにイメージ成分を検出する以外は図１１と同一構成であるので、その説明は省略する。
【００９５】
このように、本実施の形態３によれば、上記実施の形態１の効果に加えて、イメージ成分検出用の局部発振信号、局発信号検出用の局部発振信号及びイメージ抑圧型ミキサ１０８にて用いる周波数変換用の局部発振信号を１つの局部発振部１０６より生成するので、回路構成が簡単になって小型化することができるとともに安価にすることができる。また、装置全体における局部発振部の総数を少なくすることができるので、局部発振部が原因で発生するノイズを極力少なくすることができる。
【００９６】
なお、本実施の形態３は、上記実施の形態１または上記実施の形態２に適用することが可能である。
【００９７】
上記実施の形態１から実施の形態３までに記載の送受信装置は、基地局装置または通信端末装置に適用することが可能である。
【００９８】
【発明の効果】
以上説明したように、本発明によれば、回路規模及び装置全体を大型化せず、かつ安価に送信信号に含まれる干渉成分を通信の障害にならないレベルに抑えることができる。
【図面の簡単な説明】
【図１】本発明の実施の形態１に係る送受信装置の構成を示すブロック図
【図２】本発明の実施の形態１に係る局発信号検出部の構成を示すブロック図
【図３】Ｄ／Ａ変換後のスペクトラムを示す図
【図４】イメージ成分検出の際のスペクトラムを示す図
【図５】局部発振信号成分検出の際のスペクトラムを示す図
【図６】イメージ成分及び局部発振信号成分のレベルを抑圧した後のスペクトラムを示す図
【図７】ＢＰＦにてイメージ成分及び局部発振信号成分を除去した後のスペクトラムを示す図
【図８】ＢＰＦの要求されるフィルタ特性を示す図
【図９】本発明の実施の形態２に係る送受信装置の構成を示すブロック図
【図１０】本発明の実施の形態３に係る送受信装置の構成を示すブロック図
【図１１】本発明の実施の形態３に係る局発信号検出部の構成を示すブロック図
【図１２】従来の送信装置の構成を示すブロック図
【図１３】従来のイメージ成分及び局発信号を示す図
【図１４】従来の周波数変換装置のＢＰＦに要求されるフィルタ特性を示す図
【符号の説明】
１０１  周波数変換装置
１０２  移相出力直交変調部
１０３ａ、１０３ｂ  利得可変部
１０４ａ、１０４ｂ  Ｄ／Ａ変換部
１０６  局部発振器
１０７  移相器
１０８  イメージ抑圧型ミキサ
１０９  分配器
１１０  イメージ成分検出部
１１１  イメージ制御部
１１２  局発信号検出部
１１３  オフセット制御部
１１４  ＢＰＦ
【図１】
2004349789.tif 000003
【図２】
2004349789.tif 000004
【図３】
2004349789.tif 000005
【図４】
2004349789.tif 000006
【図５】
2004349789.tif 000007
【図６】
2004349789.tif 000008
【図７】
2004349789.tif 000009
【図８】
2004349789.tif 000010
【図９】
2004349789.tif 000011
【図１０】
2004349789.tif 000012
【図１１】
2004349789.tif 000013
【図１２】
2004349789.tif 000014
【図１３】
2004349789.tif 000015
【図１４】
2004349789.tif 000016